(57)【要約】 【課題】  工具を一切必要とせず、且つ現場での組み立て及び分解作業が容易迅速にできると共に、製造コストの低減を実現し得る床下収納庫を提供する。【解決手段】  一種類の側板Ａを４枚と底板Ｂとからなり、側板Ａは平板１と、平板１の外面側へ突出する上辺フランジ２と、平板１の内面側へ突出する底板支承用下辺フランジ３と、平板１の他側辺に外面側へ突出する複数の挿込み片４３を所定間隔開いて上下方向へ配備した係合部４と、平板１の一側辺に内面側へ突出し隣り合う側板Ａの各挿込み片４３を嵌合する複数の溝形成用受け片５４を配備した係合受け溝部５とから構成し、底板Ｂは４枚の側板Ａの枠組み空間内へ上方から適嵌入する平皿体６であることを特徴とする。【選択図】          図１
2007327184.tif 000002
【特許請求の範囲】
【請求項１】
一種類の側板４枚と底板とからなり、側板は平板と、平板の外面側へ突出する上辺フランジと、平板の内面側へ突出する底板支承用下辺フランジと、平板の他側辺に外面側へ突出する複数の挿込み片を所定間隔開いて上下方向へ配備した係合部と、平板の一側辺に内面側へ突出し隣り合う側板の各挿込み片を嵌合する複数の溝形成用受け片を配備した係合受け溝部とから構成し、底板は４枚の側板の枠組み空間内へ上方から適嵌入する平皿体であることを特徴とする床下収納庫。
【請求項２】
上記上辺フランジは、一端部を平板の一側辺端とほぼ揃えると共に、他端部を平板の他側辺端より外方へ突出させフランジコーナー部形成用の幅広突出部としたことを特徴とする請求項１記載の床下収納庫。
【請求項３】
上記下辺フランジの面内には、複数の嵌合孔を開設すると共に、底板の裏面には嵌合孔に嵌着する複数の位置固定用突子を突設したことを特徴とする請求項１記載の床下収納庫。
【発明の詳細な説明】
【技術分野】
【０００１】
この発明は、屋内床下に配置される床下収納庫に関する。
【背景技術】
【０００２】
床下収納庫は、上開口有底の函体で、函体内に日用小物を収納し、屋内床下空間を利用して収容保管するのに使われる。一般に、床下収納庫は合成樹脂の一体成形品であるが、函体が大きいために成形金型代が高い許かりでなく、製品保管並びに輸送コストがかかる欠点がある。
【０００３】
そこで、組み立て式の床下収納庫が提案されている。例えば、組み立て式床下収納庫は４枚の側板と底板とからなる。側板の両側辺には、隣り合う側板と連結するための係合手段が配備してある。
【０００４】
つまり、一の側板の両側辺には、側板の外面側に縦状の溝条を形成する断面「コ」字状の折曲げ係合部を設ける一方、隣り合う側板の両側辺には、側板の内面側に縦状の溝条を形成する断面「コ」状の折曲げ係合受け部を設けて、係合手段を構成している。
【０００５】
組み立てに際しては、一の側板の係合部下端を、隣り合う側板の係合受け部上端に対応させ、それぞれの溝条に相手係合片を嵌入させる状態で、一の側板をスライド降下させ、係合部と係合受け部をスライド嵌着固定する。かくして、４枚の側板で枠組みされた空間内に底板を嵌入して組み立てられる。
【特許文献１】特開昭５３−７６５２３号公報
【発明の開示】
【発明が解決しようとする課題】
【０００６】
従来の床下収納庫では、４枚の側板が分離可能である。従って、輸送、保管、清掃に利便性がある反面、形状が異なる２種類の側板が必要となる不利がある。このため、部品点数が多い許かりでなく、成形金型費用がかかり、コストアップとなる欠点がある。
【０００７】
また、従来の組み立て式床下収納庫では、設置現場での組み立て作業も困難である。つまり、形状を異にする２種類の側板がユニットとなっているため、隣り合う側板の選択に手間取る不利がある。
【０００８】
とりわけ、隣り合う２枚の側板、つまり隣り合う係合部および係合受け部は、側板高さと略同じ長さの長尺な断面コ字状の筒状体であるため、両者を溝条内に嵌合させることが極めて手間であり、煩瑣な作業となる不利がある。
【０００９】
尚、最も単純構成の組み立て式床下収納庫として、係合部および係合受け部を有しない４枚の側板間を、止めビスや金具などで固定する方式も考えられる。この場合、１種類の側板ですむ反面、組み立ておよび分解に別途工具を必要とし、作業性が悪い不利がある。
【００１０】
この発明は、以上のような課題を解消させ、工具を一切必要とせず、且つ組み立て及び分解作業が容易迅速にできると共に、製造コストの低減を実現し得る床下収納庫を提供することを目的とする。
【課題を解決するための手段】
【００１１】
この目的を達成させるために、この発明の床下収納庫では、次のような構成としている。
【００１２】
床下収納庫は、一種類の側板４枚と底板とからなり、側板は平板と、平板の外面側へ突出する上辺フランジと、平板の内面側へ突出する底板支承用下辺フランジと、平板の他側辺に外面側へ突出する複数の挿込み片を所定間隔開いて上下方向へ配備した係合部と、平板の一側辺に内面側へ突出し隣り合う側板の各挿込み片を嵌合する複数の溝形成用受け片を配備した係合受け溝部とから構成し、底板は４枚の側板の枠組み空間内に上方から適嵌入する平皿体であることを特徴としている。
【発明の効果】
【００１３】
このような構成を有する床下収納庫では、１種類の側板４枚と底板とを組み立てることで床下収納庫が得られる。従って、側板の成形金型は、１種類ですむこととなり、製品コストダウン化を実現し得る。
【００１４】
更に、各側板は全く同じ形態の１種類であるため、組み立てに際して隣り合う側板の選択に手間どる不利がない。また、側板の組み立ては上下方向へ並ぶ複数の各短尺な挿込み片を、対応する各溝形成用受け片の上部空間部に対応位置（嵌合）させてスライド降下させるだけで、各挿込み片を各溝形成用受け片に係着させ得る。
【００１５】
つまり、短尺な挿込み片一つ長さ分、側板をスライド降下させるだけで、すべての挿込み片をすべての溝形成用受け片に同時に係合させ得る。従って、係合受け溝部に対する係合部の嵌脱作業に要する時間、手間は全くかからず、極めて迅速容易に組み立て・分離を実行し得ると共に、一切の工具を必要としない等、発明目的を達成した優れた効果を有する。
【発明を実施するための最良の形態】
【００１６】
以下、図面に基づき本発明に係る組み立て式床下収納庫の具体的な実施の形態を説明する。
【００１７】
図１は、実施の形態の床下収納庫を示す分解斜視図である。
床下収納庫は、１種類の側板Ａを４枚と、底板Ｂとから構成される。側板Ａおよび底板Ｂは、ＰＰ樹脂などを表面磨き処理した合成樹脂材にて成形する。
【００１８】
側板Ａは、矩形状の平板１と、平板１に連続する上辺フランジ２および下辺フランジ３と、平板１の一側辺に連続する係合部４と、他側辺に連続する係合受け溝部５とから成る。
【００１９】
矩形状平板１は、面内上部を一定幅外向きに突出させて、内面側に断熱板載置用の水平状段部１１と、この水平状段部１１の下方に連続する仕切板係止用の垂直状段部１２、１２，１２と、この垂直状段部１２の下方に連続する指掛り部（取手部）１４と、通気孔部１３が設けられている（図２・図３参照）。
【００２０】
平板１の上辺には、外面側へ突出する一定幅の上辺フランジ２が連続形成してある。この上辺フランジ２の先端は下向きの折曲部２１とし、後述する床面開口枠７３への取り付け便宜を図っている。更に、上辺フランジ２は一側辺（一端部）２３を平板１の一側辺端とほぼ揃え、他側辺をフランジコーナー部形成用の幅広突出部２２として平板１端より外方へ突出させ、隣合う側板Ａと枠組みするとき、両上辺フランジ２，２（２２，２３）端のコーナー接合が図られている。
【００２１】
更に、平板１の下辺には、内方へ突出する一定幅の底板支承用下辺フランジ３を連続形成している。この下辺フランジ３の面内には、後述する底板Ｂの底面突子６２を嵌着する嵌合孔３１が開設してある。また、下辺フランジ３の裏面には補強リブ脚３２が形成されている（図３参照）。
【００２２】
上記係合部４は、平板１の他側辺から外方へ連続突設する（上辺フランジ２の幅広突出部２２の下面に連続する）細幅の平板部４１と、平板部４１の基端に直角状に外向きに突設される突板部４２と、この突板部４２に僅かな隙間を開いて平板部４１から立ち上がる挿入み片４３とから成る。
【００２３】
挿入み片４３は、短尺な角棒軸状で、上下方向へ一定間隔開いて７つ配備してある。最も上段に位置する挿入み片４３ａのみが、他の挿入み片４３より更に短尺に設定され、挿入操作の容易性が図られている。
【００２４】
更に、図２で示すように挿入み片４３（４３ａ）は、下端部（挿し込み側）が先の尖る勾配部４４に設定してある。各挿込み片４３間は、空間部４５を介して配備され、挿込み片４３の内側面４３ｙと平行する突板部４２の外側面との間には、溝空間４６が開き設けられている。
【００２５】
上記係合受け溝部５は、平板１の一側辺から外方へ連続突設する（上辺フランジ２の一端部２３より外方へ突出する）細幅の平板部５１と、平板部５１の基端に直角状に内向きに突設される突板部５３と、平板部５１の先端を直角状に内向きに折り曲げた折曲部５２と、折曲部５２の先端を突板部５３方向へ直角状（平板部５１と平行状）に突設する溝形成用受け片５４とから成る。
【００２６】
溝形成用受け片５４は、前記した挿入み片４５（４５ａ）に対応して同じ設定高さ位置に７つ設けられている。また、この受け片部５４は前記挿入み片４３と同じ長さに設定され、最も上段に位置する受け片５４ａのみが他の受け片５４より更に短尺に設定してある。
【００２７】
溝形成用受け片５４は、角板状で、各受け片５４間は空間部５７を介して配備されている。また、溝形成用受け片５４の裏面と平板部５１との間には、挿込み片４５がスライドするスライド溝部５５が設けられ、且つ受け片５４の先端面と突板部５３の外側面との間には僅かな溝空間部５６が開き設けられている。
【００２８】
尚、平板部５１の面内であって、溝形成用受け片５４対応位置に６つの角形孔５８が存在する。これは、成形金型の抜き孔であるが、スライド溝部５５に挿込み片４３が摺動する際の摩擦抵抗を軽減する作用を発揮する。
【００２９】
前記底板Ｂは、４枚の側板Ａで囲まれる空間内に適嵌合する大きさの矩形平板６で、外周縁に上方へ僅かに立ち上がる縁部６１を周設している。また、平板６の裏面には縦・横・斜め方向へ配された補強リブ６３が下方向へ突設してある（図３参照）。更に、平板６裏面の外周部に複数の突子６２を下方へ突設している。
【００３０】
このような構成を有する床下収納庫では、１種類（同一形態）の側板Ａを４枚と底板Ｂとを組み合わせて床下収納庫を組み立てる。図１で示すように、それぞれ隣り合う４枚の側板Ａを、下辺フランジ３を内向きにした状態で直角状に対応位置させる。これにより、自動的に隣り合う側板Ａ、Ａの上辺フランジ２，２の上面高さが面一で、且つ係合すべき一方の挿込み片４３と対応する（隣り合う）溝形成用受け片５４がそれぞれ対向することになる。
【００３１】
ここで、挿込み片４３側の側板（平板１）Ａを上方へ位置ずれさせる。つまり、上から２段目の挿込み片４３が上から１段目の空間部５７（ｌ段目の溝形成用受け片５４ａと２段目の溝形成用受け片５４との間）に対応させる。これにより、上下方向へ並ぶ各挿込み片４３が各空間部５７に対応位置する。
【００３２】
次に、挿込み片４３を対応する各空間部５７に嵌合させる。このとき、挿込み片４３側の平板部４１と溝形成用受け片５４側の突板部５３が接合し、且つ受け片５４の外面が挿込み片４３側の突板部５３外面に接合している。
【００３３】
この状態で、挿込片部４３側の側板（平板１）Ａを降下させる。降下の途中段階を表す図２で示すように、各挿込片部４３は内側面４３ｙが溝形成用受け片５４の内面に接合すると共に、前端面４３ｘが折曲部５２の内面に接合し、且つ外側面４３ｚが平板部５１に接合し、外側面４３ｚが角孔部５８より外観される。
【００３４】
側板Ａの降下が終わる（短尺な挿込み片一つ分の長さ降下させる）とき、つまり挿込み片４３側の上辺フランジ２の幅広突出部２２が溝形成用受け片５４側の平板部５１上端に衝合するとき、隣り合う側板Ａ、Ａの上辺フランジ２、２の接合端面（幅広突出部２２と隣り合う側板Ａの上辺フランジ２１の端面２３）が衝合し、同一面高さの連続するフランジコーナー部が形成される。このとき、各挿込み片４３，４３ａが対応する溝形成用受け片５４に緊密係合している。
【００３５】
かくして、４枚の側板Ａによって枠組みされた内部空間に、上方から底板Ｂを嵌入させる。底板Ｂの各突子６２が、対応する下辺フランジ３の各嵌合孔３１に嵌着し、底板（平板６）Ｂの底面が下辺フランジ３上面に接合して、底板Ｂは側板Ａに脱着可能に固定される。
【００３６】
図３は、組み立てられた床下収納庫を、屋内床下に設置した使用状態を示す断面図である。床面７１の開口縁には、外枠７３が周設され、床面開口蓋７２の外周縁には内枠７４が周設してある。床面開口蓋７２を持ち上げ、床面７１を開放し、側板Ａの取っ手部１４を把持して床下収納庫を垂直状に降下させると、上辺フランジ２（屈曲先端部２１）が、外枠（根太７５に止着された支承受桟材７６上に載る外枠下端部７３ａ）７３に、吊り下げ状に掛止して取り付けられる。
【図面の簡単な説明】
【００３７】
【図１】実施の形態の床下収納庫を示す分解斜視図である。
【図２】隣り合う側板を組み立てる中途段階を示す正面図である。
【図３】床下収納庫を床面に設置した状態を示す断面図である。
【符号の説明】
【００３８】
Ａ      側板
Ｂ      底板
１      平板
２      上辺フランジ
３      下辺フランジ
４      係合部
５      係合受け溝部
３１    嵌合孔
４３    挿込み片
４３ａ  最上段の短尺な挿込み片
５４    溝形成用受け片
５４ａ  最上段の短尺な溝形成用受け片
６１    突子
【図１】
2007327184.tif 000003
【図２】
2007327184.tif 000004
【図３】
2007327184.tif 000005